(57)【特許請求の範囲】
【請求項１】
複数のＬＥＤが実装され、互いに並列に接続された複数のＬＥＤモジュールと、
信号装置から所定の信号が入力されると、当該信号の入力時点から所定の時間、定電流を前記複数のＬＥＤモジュールに流す定電流回路と、
前記定電流回路により定電流が流されているときの前記複数のＬＥＤモジュールの順方向電圧を検出する検出回路と、
前記検出回路により検出された前記複数のＬＥＤモジュールの順方向電圧に基づき、電源の電圧を昇圧して出力する昇圧回路と、
前記昇圧回路から出力される電圧により前記複数のＬＥＤが点灯する状態と、前記複数のＬＥＤが消灯する状態とを所定の周期で切り替えるスイッチング素子と、
前記昇圧回路から出力される電圧により前記複数のＬＥＤが点灯する時間と、前記昇圧回路から出力される電圧によりＬＥＤモジュールに流れる電流と、前記スイッチング素子による切り替えのタイミングとのうち、少なくともいずれかがＬＥＤモジュールごとに異なるように制御を行う制御回路と
を備える誘導灯装置。
【請求項２】
装置本体と、
前記装置本体の下面に設けられる台部と、
複数のＬＥＤが実装され、互いに並列に接続され、前記台部の前面及び下面に１つずつ取り付けられた複数のＬＥＤモジュールと、
信号装置から所定の信号が入力されると、当該信号の入力時点から所定の時間、定電流を前記複数のＬＥＤモジュールに流す定電流回路と、
前記定電流回路により定電流が流されているときの前記複数のＬＥＤモジュールの順方向電圧を検出する検出回路と、
前記検出回路により検出された前記複数のＬＥＤモジュールの順方向電圧に基づき、電源の電圧を昇圧して出力する昇圧回路と、
前記昇圧回路から出力される電圧により前記複数のＬＥＤが点灯する状態と、前記複数のＬＥＤが消灯する状態とを所定の周期で切り替えるスイッチング素子と
を備える誘導灯装置。
【請求項３】
複数のＬＥＤが実装されたＬＥＤモジュールと、
信号装置から所定の信号が入力されると、当該信号の入力時点から所定の時間、定電流を前記ＬＥＤモジュールに流す定電流回路と、
前記定電流回路により定電流が流されているときの前記ＬＥＤモジュールの順方向電圧を検出する検出回路と、
前記検出回路により検出された前記ＬＥＤモジュールの順方向電圧に基づき、電源の電圧を昇圧して出力する昇圧回路と、
前記昇圧回路から出力される電圧により前記複数のＬＥＤが点灯する状態と、前記複数のＬＥＤが消灯する状態とを所定の周期で切り替えるスイッチング素子と
を備え、
前記信号の入力時点から所定の期間、前記定電流回路により前記ＬＥＤモジュールに流される定電流は、当該期間の後、前記昇圧回路から出力される電圧により前記ＬＥＤモジュールに流される点灯電流よりも少ない微少電流である誘導灯装置。
【請求項４】
前記誘導灯装置は、前記ＬＥＤモジュールとして、
前記複数のＬＥＤが実装され、互いに並列に接続される複数のＬＥＤモジュール
を備え、
前記定電流回路は、前記信号の入力時点から所定の期間、定電流を前記複数のＬＥＤモジュールのそれぞれに順番に流し、
前記昇圧回路は、前記検出回路により検出された前記複数のＬＥＤモジュールの順方向電圧のうち最も高い順方向電圧に基づき、前記電源の電圧を昇圧して出力する請求項３に記載の誘導灯装置。
【請求項５】
前記誘導灯装置は、さらに、
装置本体と、
前記装置本体の前面に設けられる台部と
を備え、
前記複数のＬＥＤモジュールは、前記台部の前面及び両側面に１つずつ取り付けられている請求項４に記載の誘導灯装置。
【請求項６】
前記誘導灯装置は、さらに、
装置本体と、
前記装置本体の下面に設けられる台部と
を備え、
前記複数のＬＥＤモジュールは、前記台部の前面及び下面に１つずつ取り付けられている請求項４に記載の誘導灯装置。
【請求項７】
前記誘導灯装置は、さらに、
前記昇圧回路から出力される電圧により前記複数のＬＥＤが点灯する時間と、前記昇圧回路から出力される電圧によりＬＥＤモジュールに流れる電流と、前記スイッチング素子による切り替えのタイミングとのうち、少なくともいずれかがＬＥＤモジュールごとに異なるように制御を行う制御回路
を備える請求項２、請求項４、請求項５又は請求項６に記載の誘導灯装置。
【請求項８】
前記誘導灯装置は、さらに、
前記電源である二次電池と、
外部の電源から電圧を入力し、入力した電圧を前記二次電池に充電する充電回路と
を備え、
前記昇圧回路は、前記検出回路により検出された電圧に基づき、前記充電回路により充電された前記二次電池の電圧を昇圧して出力する請求項１から請求項７のいずれか１項に記載の誘導灯装置。
【発明の詳細な説明】
【技術分野】
【０００１】
本発明は、誘導灯装置に関するものである。
【背景技術】
【０００２】
火災や停電のときに人々を避難口に誘導するための誘導灯には、避難口の存在を目立ちやすくするために光源が閃光して点滅するものを付加した点滅形誘導灯があり、点滅光源としてはキセノンランプが使用されていた。ここ数年でＬＥＤの効率が改善され、点滅光源としてＬＥＤを使用するものが提案されている（例えば、特許文献１，２参照）。
【先行技術文献】
【特許文献】
【０００３】
【特許文献１】特開２０１１−２０４６９８号公報
【特許文献２】特開２００９−２１８０８４号公報
【発明の概要】
【発明が解決しようとする課題】
【０００４】
点滅光源として複数のＬＥＤを使用する場合、誘導灯に内蔵している電池の電圧を昇圧して各ＬＥＤを点灯させるが、昇圧する電圧をＬＥＤの直列接続個数によって適切な電圧にしないと昇圧回路の損失が増え、電池の容量を大きくしなければならないという課題があった。
【０００５】
本発明は、例えば、ＬＥＤモジュールの順方向電圧（ＶＦ）に応じて適切な昇圧電圧を発生させ、ＬＥＤを効率よく点滅させる誘導灯装置を提供することを目的とする。
【課題を解決するための手段】
【０００６】
本発明の一の態様に係る誘導灯装置は、
複数のＬＥＤが実装されたＬＥＤモジュールと、
信号装置から所定の信号が入力されると、当該信号の入力時点から所定の時間、定電流を前記ＬＥＤモジュールに流す定電流回路と、
前記定電流回路により定電流が流されているときの前記ＬＥＤモジュールの順方向電圧を検出する検出回路と、
前記検出回路により検出された前記ＬＥＤモジュールの順方向電圧に基づき、電源の電圧を昇圧して出力する昇圧回路と、
前記昇圧回路から出力される電圧により前記複数のＬＥＤが点灯する状態と、前記複数のＬＥＤが消灯する状態とを所定の周期で切り替えるスイッチング素子とを備える。
【発明の効果】
【０００７】
本発明の一の態様では、誘導灯装置において、定電流回路が所定の信号の入力時点から所定の時間、定電流をＬＥＤモジュールに流し、昇圧回路がそのときのＬＥＤモジュールのＶＦに基づいて昇圧した電圧を出力し、スイッチング素子がその電圧によりＬＥＤモジュールの複数のＬＥＤを点滅させる。このため、本発明の一の態様によれば、ＬＥＤモジュールのＶＦに応じて適切な昇圧電圧を発生させ、ＬＥＤを効率よく点滅させることが可能となる。
【図面の簡単な説明】
【０００８】
【図１】実施の形態１に係る誘導灯装置の構成を示す回路ブロック図。
【図２】実施の形態１に係る誘導灯装置の点滅動作のタイミングを示す図。
【図３】従来の誘導灯装置の正面図、側面図及び下面図。
【図４】実施の形態１に係る誘導灯装置の正面図、側面図及び下面図。
【図５】実施の形態２に係る誘導灯装置の正面図、側面図及び下面図。
【図６】実施の形態２に係る誘導灯装置の構成を示す回路ブロック図。
【図７】実施の形態３に係る誘導灯装置の点滅パターンの例を示す図。
【図８】従来の誘導灯装置の正面図及び側面図。
【図９】実施の形態４に係る誘導灯装置の正面図及び側面図。
【図１０】実施の形態４の変形例に係る誘導灯装置の側面図。
【図１１】実施の形態４に係る誘導灯装置の構成を示す回路ブロック図。
【図１２】実施の形態５に係る誘導灯装置の点滅パターンの例を示す図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る誘導灯装置１０（点滅形誘導灯装置）の構成を示す回路ブロック図である。
【００１１】
図１において、誘導灯装置１０は、外部の信号装置１１、商用電源２０（外部の電源の例）と接続されている。
【００１２】
信号装置１１は、点滅信号（所定の信号の例）を入力（送信）する。例えば、信号装置１１は、自動火災報知設備に接続されている。自動火災報知設備が感知器により又は火災を発見した人間の操作により火災を感知して発報する（信号装置１１に火災信号を送る）と、信号装置１１は、誘導灯装置１０に点滅信号を入力する。
【００１３】
誘導灯装置１０は、充電回路１２、切替回路１３、二次電池１４、昇圧回路１５、制御回路１６、ＬＥＤモジュール１７、スイッチング素子１８、検出回路１９、定電流回路２１を備える。
【００１４】
充電回路１２は、平常時（信号装置１１から点滅信号が入力されていないとき）に商用電源２０から電力供給を受けて二次電池１４を充電する。切替回路１３は、非常時（信号装置１１から点滅信号が入力されたとき）に二次電池１４からの電力をＬＥＤモジュール１７へ供給するための切り替えを行う。即ち、切替回路１３は、平常時と非常時とで二次電池１４の充電放電を切り替える。二次電池１４は、ＬＥＤモジュール１７を点灯させるための電源である。昇圧回路１５は、非常時に二次電池１４の電圧を昇圧し、昇圧後の電圧をＬＥＤモジュール１７に印加する。制御回路１６は、例えばマイコンであり、切替回路１３、昇圧回路１５、スイッチング素子１８を制御して、ＬＥＤモジュール１７の点灯制御を行う。ＬＥＤモジュール１７は、直列に接続された複数のＬＥＤと、これらのＬＥＤが実装された基板とからなる。スイッチング素子１８は、制御回路１６により制御されてＬＥＤモジュール１７のオンオフを行う。検出回路１９は、昇圧回路１５の出力電圧を検出する。定電流回路２１は、ＬＥＤモジュール１７に流す電流を定電流にする。
【００１５】
誘導灯装置１０は、信号装置１１から点滅信号が入力されると、切替回路１３によって二次電池１４からの電力が昇圧回路１５へ供給されるように動作する。誘導灯装置１０は、昇圧回路１５によって二次電池１４の電圧を昇圧し、ＬＥＤモジュール１７に昇圧後の電力を供給し、制御回路１６によるスイッチング素子１８のオンオフ制御により、ＬＥＤモジュール１７のＬＥＤを点滅させる。
【００１６】
以下、本実施の形態に係る誘導灯装置１０の各部の動作を説明する。
【００１７】
平常時は商用電源２０からの電力供給を受けて充電回路１２が二次電池１４を充電している。信号装置１１から点滅信号が入力されると、制御回路１６が点滅信号を検出して、点滅動作を開始する。
【００１８】
制御回路１６が点滅信号を検出すると、制御回路１６は、接続しているＬＥＤモジュール１７のＶＦを検出するために、スイッチング素子１８をオンにして、定電流回路２１で微少な定電流をＬＥＤモジュール１７に流す。制御回路１６は、抵抗を直列に２本接続した検出回路１９で分圧された電圧から昇圧回路１５の出力電圧（＝ＬＥＤモジュール１７のＶＦ＋スイッチング素子１８の電圧降下分＋定電流回路２１の電圧降下分）を検出し、昇圧回路１５の出力電圧からＬＥＤモジュール１７のＶＦを計算する。ここでいうＬＥＤモジュール１７のＶＦとは、複数個のＬＥＤのＶＦに加えて基板による極小の電圧降下を含む、モジュールとしての電圧を意味する。
【００１９】
制御回路１６は、ＬＥＤモジュール１７のＶＦの計算結果に応じて、ＬＥＤが規定の電流で点灯するのに適した電圧（ＬＥＤモジュール１７のＶＦに応じた電圧が予め設定され、メモリ等に記憶されているものとする）を目標の昇圧電圧として設定し、昇圧回路１５の出力電圧が目標の昇圧電圧になるように昇圧回路１５を制御する。昇圧回路１５は、制御回路１６により制御されて適切な電圧（即ち、目標の昇圧電圧）をＬＥＤモジュール１７に印加する。このとき、制御回路１６は、スイッチング素子１８を制御してＬＥＤをオンオフし、点滅動作を行う。このように、昇圧電圧を決めてＬＥＤを点灯させるので、通常の点滅動作は定電圧での駆動となる。
【００２０】
図２は、誘導灯装置１０の点滅動作のタイミングを示す図である。なお、図２では、説明の便宜上、ＬＥＤモジュール１７に電流Ｉ１，Ｉ２を流す時間と２Ｈｚ（１周期５００ミリ秒）の信号の比率（デューティ）を実際のものとは変えている。実際に電流Ｉ１，Ｉ２を流す時間はもっと短い。
【００２１】
信号装置１１から点滅信号を受けると、制御回路１６は昇圧回路１５を動作させ、ｔ０からｔ１までの期間（所定の時間の例）、ＬＥＤモジュール１７に微少電流Ｉ１（例えば１０ｍＡ）が流れるように制御する。このとき、昇圧回路１５は定電流回路２１を動作させて電流Ｉ１が定電流となるようにする。ｔ０からｔ１までの期間内に、制御回路１６は検出回路１９で昇圧回路１５の出力電圧を検出し、昇圧回路１５の出力電圧からＬＥＤモジュール１７のＶＦを検出する。その後、制御回路１６は、検出したＶＦに合わせて本来の点灯電流Ｉ２がＬＥＤモジュール１７に流せるような電圧を出力するよう昇圧回路１５を制御する。ｔ２の時点から、制御回路１６は、昇圧回路１５で昇圧された電圧を電源電圧としてＬＥＤの点滅動作をスイッチング素子１８のオンオフにより行う。点滅形誘導灯の点滅動作は、信号装置１１の信号を受けてから３秒以内に開始することが技術基準で決まっているため、信号装置１１の点滅信号を受けたｔ０から実際のＬＥＤの点滅が開始するｔ２までの期間が３秒未満となるように、ｔ０，ｔ１，ｔ２を設定するものとする。
【００２２】
上記のように、本実施の形態において、充電回路１２は、商用電源２０から電圧を入力し、入力した電圧を二次電池１４に充電する。定電流回路２１は、信号装置１１から点滅信号が入力されると、当該点滅信号の入力時点から所定の時間、定電流をＬＥＤモジュール１７に流す。検出回路１９は、定電流回路２１により定電流が流されているときのＬＥＤモジュール１７の順方向電圧を検出する。昇圧回路１５は、二次電池１４から充電回路１２により充電された電圧を入力し、検出回路１９により検出されたＬＥＤモジュール１７の順方向電圧に基づき、入力した電圧を昇圧して出力する。スイッチング素子１８は、昇圧回路１５から出力される電圧によりＬＥＤモジュール１７の複数のＬＥＤが点灯する状態と、ＬＥＤモジュール１７の複数のＬＥＤが消灯する状態とを所定の周期で切り替える。このため、本実施の形態によれば、ＬＥＤモジュール１７のＶＦに応じて適切な昇圧電圧を発生させ、ＬＥＤを効率よく点滅させることが可能となる。
【００２３】
以上説明したように、本実施の形態に係る誘導灯装置１０は、平常時に商用電源２０からの電力供給を受けて二次電池１４を充電する充電回路１２と、非常時に二次電池１４の電圧を昇圧する昇圧手段（昇圧回路１５）と、昇圧した電圧を検出する検出手段（検出回路１９）と、平常時と非常時で二次電池１４の充電と放電を切り替える切替手段（切替回路１３）と、点滅光源となる複数のＬＥＤと、点滅光源のオンオフを行うスイッチング素子１８と、点滅光源に一定の電流を流す定電流手段（定電流回路２１）と、ＬＥＤモジュール１７の順方向電圧（ＶＦ）を予め確認し、点滅光源の電流と切替手段と点滅光源のオンオフを制御する制御手段（制御回路１６）とを有する点滅形誘導灯装置である。このように、本実施の形態では、光源となるＬＥＤモジュール１７のＶＦが何Ｖとなるのかを、予め微少な電流を流して検出し、実際の点滅動作をするときに必要な昇圧電圧を最適に設定しておくように昇圧回路１５を制御する。本実施の形態によれば、直列にＬＥＤを接続したＬＥＤモジュール１７のＶＦに合わせて昇圧電圧を設定するので、効率の良い点滅形誘導灯を提供することができ、また、点滅光源の動作時間を長くすることができる。さらに、動作時間を同じとすれば、二次電池１４を小型にすることができ、コンパクトな誘導灯を実現することができる。
【００２４】
実施の形態２．
本実施の形態について、主に実施の形態１との差異を説明する。
【００２５】
図３は、従来の誘導灯装置９０の正面図、側面図及び下面図である。図４は、実施の形態１に係る誘導灯装置１０の正面図、側面図及び下面図である。図５は、本実施の形態に係る誘導灯装置３０の正面図、側面図及び下面図である。図中の点線は、点滅光源の配光を示している。
【００２６】
図３において、従来の誘導灯装置９０（壁埋器具）は、壁に埋め込まれており、装置本体の前面（正面）に、点滅光源であるキセノンランプ９１と非常口等を示す図柄を表示する表示部９２とを備える。キセノンランプ９１は光源そのものがチューブ状となっており、断面は円、配光は３６０度、略均一な円のようになっている。キセノンランプ９１の点滅時には、キセノンランプ９１の閃光が前方だけでなく、上方、側方へも広がることで、天井や壁に閃光が当たり、誘目性が高まる。
【００２７】
図４において、実施の形態１に係る誘導灯装置１０は、壁に埋め込まれており、装置本体の前面（正面）に、点滅光源である複数のＬＥＤを有するＬＥＤモジュール１７と非常口等を示す図柄を表示する表示部２２とを備える。ＬＥＤモジュール１７は、装置本体の前面に設けられた台部２３の前面に取り付けられており、各ＬＥＤの発光面が前方を向いている。ＬＥＤの光には指向性があり、そのビーム角によって閃光の出方が変わるが、市販のパワー系ＬＥＤの多くは光が前方（光軸方向）に向かい、指向角は１２０度程度であるため、側方にはあまり光が出ない。このようなＬＥＤを点滅光源として使用する場合、キセノンランプと比較すると、閃光を発することができる範囲が狭くなってしまう。
【００２８】
図５において、本実施の形態に係る誘導灯装置１０は、壁に埋め込まれており、装置本体の前面（正面）に、点滅光源である複数のＬＥＤをそれぞれ有するＬＥＤモジュール１７ａ，１７ｂ，１７ｃと非常口等を示す図柄を表示する表示部２２とを備える。ＬＥＤモジュール１７ａは、装置本体の前面に設けられた台部２３の前面に取り付けられており、各ＬＥＤの発光面が前方を向いている。ＬＥＤモジュール１７ｂは、台部２３の一方の側面に取り付けられており、各ＬＥＤの発光面が側方（台部２３の側面が傾斜しているため、斜め方向）を向いている。ＬＥＤモジュール１７ｃは、台部２３の他方の側面に取り付けられており、各ＬＥＤの発光面が側方（台部２３の側面が傾斜しているため、斜め方向）を向いている。
【００２９】
このように、本実施の形態では、誘導灯装置１０が複数のＬＥＤモジュール１７ａ，１７ｂ，１７ｃを備え、点滅光源である複数のＬＥＤがＬＥＤモジュールごとに異なる方向に光を照射するようになっている。このため、図４に示したＬＥＤモジュール１７と異なり、図３に示したキセノンランプ９１と同じような配光を得ることができる。即ち、本実施の形態によれば、３つのＬＥＤモジュール１７ａ，１７ｂ，１７ｃを組み合わせることで、キセノンランプ９１を使用したときと同じように閃光を発することができる。
【００３０】
ここで、光源を３方向に光らせるようにするためには、ＬＥＤの個数を増やさなければならないが、その場合、ＬＥＤを全部直列に接続するとＶＦが上昇し、実施の形態１に比べて、昇圧回路１５の動作の効率が悪くなったり、昇圧回路１５を２段に設けなければならなくなったりするおそれがある。
【００３１】
そこで、本実施の形態では、ＬＥＤモジュール１７ａ，１７ｂ，１７ｃのそれぞれの基板が昇圧回路１５に並列に接続され、駆動される。
【００３２】
図６は、本実施の形態に係る誘導灯装置１０（点滅形誘導灯装置）の構成を示す回路ブロック図である。
【００３３】
図６において、ＬＥＤモジュール１７ａ，１７ｂ，１７ｃは、互いに並列に接続され、各々にスイッチング素子１８ａ，１８ｂ，１８ｃが直列に接続されている。また、ＬＥＤモジュール１７ａ，１７ｂ，１７ｃは、それぞれ定電流回路２１と接続されている。その他の構成については、実施の形態１に係る誘導灯装置１０の構成と同様である。
【００３４】
以下、本実施の形態に係る誘導灯装置１０の各部の動作を説明する。
【００３５】
実施の形態１と同様に、平常時は商用電源２０からの電力供給を受けて充電回路１２が二次電池１４を充電している。信号装置１１から点滅信号が入力されると、制御回路１６が点滅信号を検出して、点滅動作を開始する。
【００３６】
制御回路１６が点滅信号を検出すると、制御回路１６は、接続しているＬＥＤモジュール１７ａのＶＦを検出するために、スイッチング素子１８ａをオンにして（スイッチング素子１８ｂ，１８ｃはオフのまま）、定電流回路２１で微少な定電流をＬＥＤモジュール１７ａに流す。制御回路１６は、検出回路１９で分圧された電圧から昇圧回路１５の出力電圧を検出し、昇圧回路１５の出力電圧からＬＥＤモジュール１７ａのＶＦを計算する。次に、制御回路１６は、接続しているＬＥＤモジュール１７ｂのＶＦを検出するために、スイッチング素子１８ａをオフ、スイッチング素子１８ｂをオンにして（スイッチング素子１８ｃはオフのまま）、定電流回路２１で微少な定電流をＬＥＤモジュール１７ｂに流す。制御回路１６は、検出回路１９で分圧された電圧から昇圧回路１５の出力電圧を検出し、昇圧回路１５の出力電圧からＬＥＤモジュール１７ｂのＶＦを計算する。同様の手順で、制御回路１６は、接続しているＬＥＤモジュール１７ｃのＶＦも検出する。なお、ＬＥＤモジュール１７ａ，１７ｂ，１７ｃについて、どのような順番でＶＦを検出するか（即ち、スイッチング素子１８ａ，１８ｂ，１８ｃをオンオフする順序）は任意である。
【００３７】
制御回路１６は、ＬＥＤモジュール１７ａ，１７ｂ，１７ｃそれぞれのＶＦのうち、最も高いものを選択し、選択したＶＦに応じて、目標の昇圧電圧を設定し、昇圧回路１５の出力電圧が目標の昇圧電圧になるように昇圧回路１５を制御する。昇圧回路１５は、制御回路１６により制御されて適切な電圧（即ち、目標の昇圧電圧）をＬＥＤモジュールに印加する。このとき、制御回路１６は、スイッチング素子１８ａ，１８ｂ，１８ｃを制御してＬＥＤをオンオフし、点滅動作を行う。これにより、３つのＬＥＤモジュール１７ａ，１７ｂ，１７ｃが点滅し、キセノンランプ９１を点滅させるときと同じような広がりをもつ配光を、回路の損失を抑えつつ実現できる。
【００３８】
なお、本実施の形態では、３つのＬＥＤモジュール１７ａ，１７ｂ，１７ｃを並列に接続しているが、２つ又は４つ以上のＬＥＤモジュールを並列に接続してもよい。
【００３９】
以上説明したように、本実施の形態に係る誘導灯装置１０は、点滅光源となる照射方向が異なる複数のＬＥＤモジュールを並列に接続して点灯したとき、複数の並列に接続したＬＥＤモジュールの順方向電圧（ＶＦ）を予め確認し、並列にしたＬＥＤモジュールの順方向電圧に合わせて昇圧手段（昇圧回路１５）の電圧を設定する。このように、本実施の形態では、キセノンランプ９１と同様の配光を得るための手段としてＬＥＤを増やす場合に、全てのＬＥＤを直列に接続するのではなく、複数の直列に接続したＬＥＤを複数並列に接続することで、昇圧回路１５の昇圧比を抑制できる。
【００４０】
実施の形態３．
本実施の形態について、主に実施の形態２との差異を説明する。
【００４１】
図７は、本実施の形態に係る誘導灯装置１０の点滅パターンの例を示す図である。なお、図７では、説明の便宜上、電流ＩＦを流す時間と２Ｈｚ（１周期５００ミリ秒）の信号の比率（デューティ）を実際のものとは変えている。実際に電流ＩＦを流す時間はもっと短い。
【００４２】
図７において、パターン１〜６は、誘導灯装置１０の台部２３の正面（前面）に取り付けられたＬＥＤモジュール１７ａと、誘導灯装置１０の台部２３の側面に取り付けられたＬＥＤモジュール１７ｂ，１７ｃとで、ＬＥＤを点灯させる電流やデューティを様々に変化させた点滅パターンである。
【００４３】
パターン１（基本動作）では、正面のＬＥＤモジュール１７ａに流す電流ＩＦをＡ、側面のＬＥＤモジュール１７ｂ，１７ｃに流す電流ＩＦをＢとしたとき、Ａ＝Ｂである。また、正面のＬＥＤモジュール１７ａ、側面のＬＥＤモジュール１７ｂ，１７ｃのいずれにおいても、電流を流すオンデューティ（点灯位相）はθ０である。オンデューティがθ０の場合、点滅周期５００ミリ秒の間の一定期間、ＬＥＤモジュールが点灯する。
【００４４】
パターン２では、パターン１と同様にＡ＝Ｂであるが、正面のＬＥＤモジュール１７ａのオンデューティがθ０であるのに対し、側面のＬＥＤモジュール１７ｂ，１７ｃのオンデューティはθ１である。オンデューティがθ１の場合、点滅周期５００ミリ秒の間でＬＥＤモジュールが点灯する時間は、オンデューティがθ０の場合よりも短く、また、点滅周期５００ミリ秒の間でＬＥＤモジュールが点灯を開始するタイミングは、オンデューティがθ０の場合よりも遅い。パターン２のように、始めにθ０の位相で正面のＬＥＤモジュールを点灯させて強い閃光を発し、側面のＬＥＤモジュールを遅れて点灯させて光の広がりを持たせる閃光を発することで、光の広がりを保ったまま、消費電力を抑えた点滅動作が可能となる。
【００４５】
パターン３では、パターン１と同様にＡ＝Ｂであるが、正面のＬＥＤモジュール１７ａのオンデューティがθ０であるのに対し、側面のＬＥＤモジュール１７ｂ，１７ｃのオンデューティはθ２である。オンデューティがθ２の場合、点滅周期５００ミリ秒の間でＬＥＤが点灯する時間は、オンデューティがθ０の場合よりも短い。ＬＥＤは点灯の原理として、蛍光体を使用していることもあり、残光という現象が望めるが、パターン３のように、始めに正面と側面のＬＥＤモジュールを点灯させ、側面のＬＥＤモジュールについては正面のＬＥＤモジュールよりも短い時間の点灯とすることで、消費電力を抑えた点滅動作が可能となる。
【００４６】
パターン４〜６では、パターン１〜３における電流ＩＦをＡ＞Ｂとしている。即ち、パターン４〜６では、正面のＬＥＤモジュール１７ａに流す電流ＩＦに対して、側面のＬＥＤモジュール１７ｂ，１７ｃに流す電流ＩＦを小さくしている。これにより、光の広がり方に変化をつけることができ、さらに消費電力を抑えた点滅動作が可能となる。
【００４７】
パターン２，３，５，６では、パターン１，４に比べて、点滅動作のときの消費電力をさらに抑制でき、これにより、点滅の動作時間が長くなるか、あるいは、動作時間を同じくすれば使用する二次電池１４の容量やサイズを小さくすることができる。
【００４８】
上記のように、本実施の形態において、制御回路１６は、昇圧回路１５から出力される電圧により複数のＬＥＤが点灯する時間と、昇圧回路１５から出力される電圧によりＬＥＤモジュールに流れる電流と、スイッチング素子１８ａ，１８ｂ，１８ｃによる切り替えのタイミングとのうち、少なくともいずれかがＬＥＤモジュールごとに異なるように制御を行う。このため、本実施の形態によれば、複数並列に接続したＬＥＤモジュールの電流制限や点滅の位相、デューティを変化させて、各ＬＥＤモジュールに流す電流や各ＬＥＤモジュールの点灯時間を適切に設定できる。
【００４９】
実施の形態４．
本実施の形態について、主に実施の形態１との差異を説明する。
【００５０】
図８は、従来の誘導灯装置９０の正面図及び側面図である。図９は、本実施の形態に係る誘導灯装置１０の正面図及び側面図である。図１０は、本実施の形態の変形例に係る誘導灯装置１０の側面図である。図中の点線は、点滅光源の配光を示している。
【００５１】
図８において、従来の誘導灯装置９０（直付器具）は、壁面に取り付けられており、装置本体の下面に、点滅光源であるキセノンランプ９１を備え、装置本体の前面（正面）に、非常口等を示す図柄を表示する表示部９２を備える。キセノンランプ９１は、配置以外については図３に示したものと同様である。
【００５２】
図９において、本実施の形態に係る誘導灯装置１０は、壁面に取り付けられており、装置本体の下面に、点滅光源である複数のＬＥＤをそれぞれ有するＬＥＤモジュール１７ａ，１７ｂを備え、装置本体の前面（正面）に、非常口等を示す図柄を表示する表示部２２を備える。ＬＥＤモジュール１７ａは、台部２３の前面に取り付けられており、各ＬＥＤの発光面が前方（台部２３の前面が傾斜しているため、斜め方向）を向いている。ＬＥＤモジュール１７ｂは、装置本体の下面に設けられた台部２３の下面に取り付けられており、各ＬＥＤの発光面が下方を向いている。
【００５３】
このように、本実施の形態では、誘導灯装置１０が複数のＬＥＤモジュール１７ａ，１７ｂを備え、点滅光源である複数のＬＥＤがＬＥＤモジュールごとに異なる方向に光を照射するようになっている。このため、図８に示したキセノンランプ９１と同じような配光を得ることができる。即ち、本実施の形態によれば、２つのＬＥＤモジュール１７ａ，１７ｂを組み合わせることで、キセノンランプ９１を使用したときと同じように閃光を発することができる。
【００５４】
図１０に示すように、誘導灯装置１０は、台部２３の下面に取り付けられるＬＥＤモジュール１７ｂのみを備えていてもよいし、台部２３の前面に取り付けられるＬＥＤモジュール１７ａと台部２３の下面に取り付けられるＬＥＤモジュール１７ｂとのほかに、台部２３の後面に取り付けられるＬＥＤモジュール１７ｃを備えていてもよい。誘導灯装置１０が１つのＬＥＤモジュール１７ｂのみを備える場合、ＬＥＤの閃光が床の方向のみへ強く出力されるため、誘導灯装置１０の正面から見たときに点滅光源が目立たなくなるおそれがある。また、誘導灯装置１０が３つのＬＥＤモジュール１７ａ，１７ｂ，１７ｃを備える場合、台部２３の後面に取り付けられるＬＥＤモジュール１７ｃは壁面方向に向かって設置されているため、光がほとんど無駄になるおそれがある。したがって、図９に示したように、誘導灯装置１０が２つのＬＥＤモジュール１７ａ，１７ｂを備えることが、効率が良く、最適といえる。
【００５５】
図１１は、本実施の形態に係る誘導灯装置１０（点滅形誘導灯装置）の構成を示す回路ブロック図である。
【００５６】
図１１において、誘導灯装置１０の構成は、ＬＥＤモジュール１７ｃが接続されていない点を除き、図６に示した実施の形態２に係る誘導灯装置１０の構成と同様である。このように、実施の形態２に係る誘導灯装置１０と構成を共通化することで、実施の形態２に係る誘導灯装置１０（壁に埋め込むタイプ）と本実施の形態に係る誘導灯装置１０（壁面に取り付けるタイプ）との両方を製造する場合に、コストダウンが図れる。また、管理が容易になり、効率化が図れる。
【００５７】
誘導灯装置１０にＬＥＤモジュールを組み込む際にＬＥＤモジュールの個数を自動的に判定できる構成を採用することもできる。その場合、制御回路１６は、３つのＬＥＤモジュール１７ａ，１７ｂ，１７ｃのうち、２つのＬＥＤモジュール１７ａ，１７ｂしか接続されていないと判定すると、スイッチング素子１８ｃを常時オフの状態を保つように制御する。あるいは、ＬＥＤモジュール１７ｃを接続可能なコネクタ（端子）に電力が供給されないようにする機構を設ける。
【００５８】
以上説明したように、本実施の形態に係る誘導灯装置１０は、複数の並列に接続したＬＥＤの列を器具の構成・構造によって照射方向を２方向と３方向に変えることができる。
【００５９】
実施の形態５．
本実施の形態について、主に実施の形態４との差異を説明する。
【００６０】
図１２は、本実施の形態に係る誘導灯装置１０の点滅パターンの例を示す図である。なお、図１２では、説明の便宜上、電流ＩＦを流す時間と２Ｈｚ（１周期５００ミリ秒）の信号の比率（デューティ）を実際のものとは変えている。実際に電流ＩＦを流す時間はもっと短い。
【００６１】
図１２において、パターン１〜６は、誘導灯装置１０の台部２３の正面（前面）に取り付けられたＬＥＤモジュール１７ａと、誘導灯装置１０の台部２３の下面に取り付けられたＬＥＤモジュール１７ｂとで、ＬＥＤを点灯させる電流やデューティを様々に変化させた点滅パターンである。図１２に示すパターン１〜６は、図７に示したパターン１〜６における「側面」のＬＥＤモジュールが「下面」のＬＥＤモジュールに置き換わっている点を除き、図７に示したパターン１〜６と同様である。したがって、実施の形態３に係る誘導灯装置１０と本実施の形態に係る誘導灯装置１０との間の設定の変更方法としては、昇圧回路１５の出力にＬＥＤモジュールを接続する際のコネクタの配線を誘導灯装置１０の組み立て時に変える等の方法を用いることができる。
【００６２】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６３】
１０，９０  誘導灯装置、１１  信号装置、１２  充電回路、１３  切替回路、１４  二次電池、１５  昇圧回路、１６  制御回路、１７，１７ａ，１７ｂ，１７ｃ  ＬＥＤモジュール、１８，１８ａ，１８ｂ，１８ｃ  スイッチング素子、１９  検出回路、２０  商用電源、２１  定電流回路、２２，９２  表示部、２３  台部、９１  キセノンランプ。
【図１】
0006032938.tif 000002
【図２】
0006032938.tif 000003
【図３】
0006032938.tif 000004
【図４】
0006032938.tif 000005
【図５】
0006032938.tif 000006
【図６】
0006032938.tif 000007
【図７】
0006032938.tif 000008
【図８】
0006032938.tif 000009
【図９】
0006032938.tif 000010
【図１０】
0006032938.tif 000011
【図１１】
0006032938.tif 000012
【図１２】
0006032938.tif 000013